(57)【要約】【課題】ケーブルの重みによるケーブル保護案内ベルトと保護フィルムとの摩擦による粉の発生を防止したケーブル保護案内機構を提供すること【解決手段】一端がプリンタ本体に固定され、記録ヘッドに対する信号を伝送するケーブルを収納するケーブル保護案内ベルトと、ベアベースと、前記ベアベース上に縦型に設けられ回転可能な主動プーリーと、前記ベアベースに前記主動プーリーに離隔して縦型に設けられ回転可能な従動プーリーと、前記主動プーリーの回転軸に連動連結した出力軸を有したモータと、を備え、前記ケーブル保護案内ベルトが、前記主動プーリーと前記従動プーリーに巻き掛けるように、縦型に配されていること、を特徴とする。【選択図】図４
2010221452.tif 000002
【特許請求の範囲】
【請求項１】
プリンタ本体と、プラテン上に搭載された記録媒体の上方をＸ−Ｙ方向に相対的に移動自在に設けられたキャリッジと、前記キャリッジに搭載され、前記録媒体に記録を行うための記録ヘッドと、を有するプリンタ装置において、
一端が前記プリンタ本体に固定され、前記記録ヘッドに対する信号を伝送するケーブルを収納するとともに、該ケーブルを前記記録ヘッドの移動に伴って保護案内するケーブル保護案内機構であって、
前記ケーブルを収納するケーブル保護案内ベルトと、
ベアベースと、
前記ベアベース上に縦型に設けられ回転可能な主動プーリーと、
前記ベアベースに前記主動プーリーに離隔して縦型に設けられ回転可能な従動プーリーと、
前記主動プーリーの回転軸に連動連結した出力軸を有したモータと、を備え、
前記ケーブル保護案内ベルトが、前記主動プーリーと前記従動プーリーに巻き掛けるように、縦型に配されていること、を特徴とするケーブル保護案内機構。
【請求項２】
プリンタ本体と、
プラテン上に搭載された記録媒体の上方をＸ−Ｙ方向に相対的に移動自在に設けられたキャリッジと、
前記キャリッジに搭載され、前記録媒体に記録を行うための記録ヘッドと、
一端が前記プリンタ本体に固定され、前記記録ヘッドに対する信号を伝送するケーブルと、
前記ケーブルを収納するとともに、該ケーブルを前記記録ヘッドの移動に伴って保護案内するケーブル保護案内機構と、を有するプリンタ装置において、
前記ケーブル保護案内機構は、
前記ケーブルを収納するケーブル保護案内ベルトと、
ベアベースと、
前記ベアベース上に縦型に設けられ回転可能な主動プーリーと、
前記ベアベースに前記主動プーリーに離隔して設けられ回転可能な従動プーリーと、
前記主動プーリーの回転軸に連動連結した出力軸を有したモータと、を備え、
前記ケーブル保護案内ベルトが、前記主動プーリーと前記従動プーリーに巻き掛けるように、縦型に配されていること、を特徴とするプリンタ装置。
【発明の詳細な説明】
【技術分野】
【０００１】
本発明は、ケーブル保護案内機構及びプリンタ装置に関する。
【背景技術】
【０００２】
従来より、入力信号に基づいてインクを噴射して被記録媒体に画像記録を行う画像記録装置として、記録ヘッドのアクチュエータにインクを導き、入力信号に応じた圧電素子、電歪素子等のアクチュエータの撓みや、発熱素子による局部的なインクの沸騰を利用してインクを加圧噴射するものが知られている。
【０００３】
例えば、シリアルプリンタと呼ばれる画像記録装置では、記録用紙の搬送方向と直交する方向に往復移動するキャリッジに前記記録ヘッドが搭載されている。そして、記録用紙が所定の改行幅で搬送される毎にキャリッジが走査されて画像記録が行われる。また、キャリッジの制御を行うために、キャリッジには可撓性のケーブルが接続されている（例えば特許文献１参照）。
該ケーブルは、キャリッジの往復移動の妨げとならないように、記録キャリッジの往復移動に追従できる十分な長さを有するものであり、記録キャリッジとメイン基板等との間に配設される。
【０００４】
しかしながら、キャリッジのような移動体へケーブルを接続すると、移動体の移動に伴ってケーブルに無理なねじれや屈曲、引張力が生じてケーブルを損傷させたり円滑な移動に支障が生じたりする虞れがあるため、これらのケーブルを収納して保護案内するケーブル保護案内ベルトが使用されている（例えば、非特許文献１並びに非特許文献２〜８参照）。
このケーブル保護案内ベルトＧは、例えば、図７に示すように、ケーブルＣをケーブル長手方向に沿って収納してケーブル固定端部Ｇ１とケーブル移動端部Ｇ５との間で順次形成されるケーブル曲げ返し部分Ｇ３を介して曲げ返されながら保護案内することができるように構成され、ケーブルＣの両側に配置される一対の側面板Ｇａとこの側面板Ｇａの屈曲外周側および屈曲内周側にそれぞれ横架される連結杆Ｇｂとで構成されたリンク体が、ケーブルＣを内挿した状態でケーブル長手方向に屈曲半径を一定以上に規制して多数連結されることにより、ケーブルＣを保持するようになっている。
【０００５】
そして、従来のインクジェットプリンタにおいては、例えば図８に示すように、ケーブル保護案内ベルト２００を横に配設して、その側面がベアベース２２０上を摺動するようになされている。ベアベース２２０上には、ケーブル保護案内ベルト２００の側面を滑りやすくするために保護フィルム２２１が貼られている。
【０００６】
しかしながら、前記保護フィルムは、ケーブル保護案内ベルト側面との摩擦で削られてしまい、ケーブル保護案内ベルトの摺動を阻害してしまうという問題がある。さらに、保護フィルムが削れることによる粉（削れカス)が発生してしまう。この粉の飛散が印画品質への悪影響を及ぼすとともに、機構の耐久性の低下につながるという問題がある。すなわち、経時変化による摩擦抵抗が増し、駆動モータの負荷も大きくなっていく。
【０００７】
保護フィルムの素材、ケーブル保護案内ベルトのコーティングで、摺動性に優れて耐久性のあるものが求められているが好適なものは見つかっていない。
特に近年、プリント速度を上げるためにヘッドが大型化され、それに伴いケーブルも増えて重くなってきており、上述したような問題が顕著となってきている。
なお、家庭用等の小型のプリンタでは、上述したような問題は、今のところ生じておらず、この問題は、高速テキスタイルインクジェットプリンタ等の大型のプリンタにおいて特に顕著な課題であると言える。
【先行技術文献】
【特許文献】
【０００８】
【特許文献１】特開平６−３２０８３５号公報
【非特許文献】
【０００９】
【非特許文献１】http://www.indexpro.co.jp/search/search-ctg.asp?dcode=300095
【非特許文献２】http://www.jyabara.co.jp/p_kaigai.html
【非特許文献３】http://www.takachiho-kk.co.jp/products/mechanical/cable/index.html
【非特許文献４】http://www.tsubakimoto.jp/product/class2.html?code=360_1
【非特許文献５】http://web-1.igus.de/default.asp?LANGUAGE=J
【非特許文献６】http://www.thk.com/jp/products/class/others/index.html
【非特許文献７】http://www.ocm.co.jp/products/4/products_4.html
【非特許文献８】http://www.pisco.jp/products/products/kudou/index.html
【発明の概要】
【発明が解決しようとする課題】
【００１０】
本発明は、このような従来の実情に鑑みて考案されたものであり、ケーブルの重みによるケーブル保護案内ベルトと保護フィルムとの摩擦による粉の発生を防止したケーブル保護案内機構を提供することを第一の目的とする。
また、本発明は、ケーブルの重みによるケーブル保護案内ベルトと保護フィルムとの摩擦による粉の発生を防止し、該粉の発生による印画品質への影響をなくしたプリンタ装置を提供することを第二の目的とする。
【課題を解決するための手段】
【００１１】
本発明の請求項１に記載のケーブル保護案内機構は、プリンタ本体と、プラテン上に搭載された記録媒体の上方をＸ−Ｙ方向に相対的に移動自在に設けられたキャリッジと、前記キャリッジに搭載され、前記録媒体に記録を行うための記録ヘッドと、を有するプリンタ装置において、一端が前記プリンタ本体に固定され、前記記録ヘッドに対する信号を伝送するケーブルを収納するとともに、該ケーブルを前記記録ヘッドの移動に伴って保護案内するケーブル保護案内機構であって、前記ケーブルを収納するケーブル保護案内ベルトと、ベアベースと、前記ベアベース上に縦型に設けられ回転可能な主動プーリーと、前記ベアベースに前記主動プーリーに離隔して縦型に設けられ回転可能な従動プーリーと、前記主動プーリーの回転軸に連動連結した出力軸を有したモータと、を備え、前記ケーブル保護案内ベルトが、前記主動プーリーと前記従動プーリーに巻き掛けるように、縦型に配されていること、を特徴とする。
本発明の請求項２に記載のプリンタ装置は、プリンタ本体と、プラテン上に搭載された記録媒体の上方をＸ−Ｙ方向に相対的に移動自在に設けられたキャリッジと、前記キャリッジに搭載され、前記録媒体に記録を行うための記録ヘッドと、一端が前記プリンタ本体に固定され、前記記録ヘッドに対する信号を伝送するケーブルと、前記ケーブルを収納するとともに、該ケーブルを前記記録ヘッドの移動に伴って保護案内するケーブル保護案内機構と、を有するプリンタ装置において、前記ケーブル保護案内機構は、前記ケーブルを収納するケーブル保護案内ベルトと、ベアベースと、前記ベアベース上に縦型に設けられ回転可能な主動プーリーと、前記ベアベースに前記主動プーリーに離隔して縦型に設けられ回転可能な従動プーリーと、前記主動プーリーの回転軸に連動連結した出力軸を有したモータと、を備え、前記ケーブル保護案内ベルトが、前記主動プーリーと前記従動プーリーに巻き掛けるように、縦型に配されていること、を特徴とする。
【発明の効果】
【００１２】
本発明のケーブル保護案内機構では、ケーブル保護案内ベルトを縦置き構成とすることで、ケーブルの重みによるケーブル保護案内ベルトと保護フィルムとの摩擦による粉の発生を防止することができる。さらに、プーリーを用いることで、ケーブル保護案内ベルトを縦置き構成とすることで新たに生じる振動の発生を防止することができる。
また、本発明のプリンタ装置では、ケーブル保護案内ベルトを縦置き構成とすることで、ケーブルの重みによるケーブル保護案内ベルトと保護フィルムとの摩擦による粉の発生を防止し、ひいては粉による印画品質への影響をなくすことができる。さらに、プーリーを用いることで、ケーブル保護案内ベルトを縦置き構成とすることで新たに生じる振動の発生および印画品質への影響をなくすことができる。その結果、本発明のプリンタ装置は、印画品質に優れたものとなる。
【図面の簡単な説明】
【００１３】
【図１】本発明のプリンタ装置の一構成例を示す斜視図である。
【図２】本発明のプリンタを斜め後方から見た斜視である。
【図３】本発明のプリンタ装置における装置本体の要部構成を示す図である。
【図４】本発明のケーブル保護案内機構の一構成例を模式的に示す図である。
【図５】ケーブル保護案内ベルトを縦置きにした場合の振動発生のメカニズムを示す図である。
【図６】ケーブル保護案内ベルトの屈曲部にプーリーを配した状態を示す図である。
【図７】ケーブル保護案内ベルトの一例を示す斜視図である。
【図８】従来のケーブル保護案内ベルトが横型に配された状態を示す斜視図である。
【発明を実施するための形態】
【００１４】
以下、図面を参照しながら本発明の好ましい実施形態について説明する。
まず、本発明のプリンタ装置の一構成例について説明する。
なお、本明細書中では、プリンタ装置の一例として、印刷対象面に沿った直交二軸のうち、一軸を印刷媒体移動、他の一軸をプリンタヘッド移動としたタイプを採り上げ、紫外光の照射を受けて硬化する紫外線硬化型のインク（いわゆるＵＶインク）を使用するＵＶ硬化インクジェットプリンタ（以下、プリンタ装置と称する）に適用した構成例について説明する。
このプリンタ装置Ｐを斜め前方から見た斜視図を図１に示し、斜め後方から見た斜視図を図２に示すとともに、このプリンタ装置Ｐにおける装置本体１の要部構成を図３に示しており、まず、これらの図面を参照してプリンタ装置Ｐの全体構成について概要説明する。なお、以降の説明では、図１中に付記する矢印Ｆ，Ｒ，Ｕの指す方向を、それぞれ前方、右方、上方と称して説明する。
【００１５】
プリンタ装置Ｐは、大別的には、描画機能を果たす装置本体１、装置本体１を支持する支持部２の前後に設けられロール状に巻かれた未印刷の印刷媒体Ｍを送り出す送り出し機構３、描画が終了した印刷媒体Ｍを巻き取る巻き取り機構４などから構成される。
【００１６】
装置本体１は、躯体を形成するフレーム１０の上下中間部に印刷媒体Ｍを前後に挿通させる横長窓状のメディア挿通部１５が形成され、このメディア挿通部１５の下側に位置する下部フレーム１０Ｌに、印刷媒体Ｍを支持するプラテン２０、およびプラテン２０に支持された印刷媒体Ｍを前後に移動させるメディア移動機構３０が設けられ、メディア挿通部１５の上側に位置する上部フレーム１０Ｕに、プリンタヘッド（記録ヘッド）６０を保持するキャリッジ４０、およびキャリッジ４０を左右に移動させるキャリッジ移動機構５０が設けられている。装置本体１には、メディア移動機構３０による印刷媒体Ｍの前後移動、キャリッジ移動機構５０によるキャリッジ４０の左右移動、プリンタヘッド６０によるインクの吐出、インク供給装置９０によるインクの供給など、プリンタ装置Ｐの各部の作動を制御するコントロールユニット８０が設けられ、操作パネル８８が装置本体１の前面に配設されている。
【００１７】
プラテン２０は、メディア挿通部１５の下側を前後に延びて下部フレーム１０Ｌに設けられておリプリンタヘッド６０による左右帯状の描画領域には、印刷媒体Ｍを水平に支持するメディア支持部２１が形成されている。メディア支持部２１には、小径の吸着孔が多数開口形成されてその下側に設けられた減圧室（不図示）に繋がっており、真空発生器の作動等により減圧室を負圧に設定したときに、印刷媒体Ｍがメディア支持部２１に吸着保持され、プリント中に印刷媒体Ｍの位置がずれないようになっている。
【００１８】
メディア移動機構３０は、上部周面がプラテン２０に露出して配設され左右に延びる円筒状の送りローラ３１と、この送りローラ３１をタイミングベルト３２を介して回転駆動するローラ駆動モータ３３などからなり、送りローラ３１の上方には、各々前後に回動自在なピンチローラ３６を有するローラアッセンブリ３５が左右に並んで複数設けられている。ローラアッセンブリ３５は、ピンチローラ３６を送りローラ３１に押しつけるクランプ位置と、送りローラ３１から離隔させたアンクランプ位置とに設定可能に構成されており、ローラアッセンブリ３５をクランプ位置に設定して印刷媒体Ｍをピンチローラ３６と送りローラ３１との間に挟み込んだ状態でローラ駆動モータ３３を回転駆動することにより、印刷媒体Ｍが送りローラ３１の回転角度（コントロールユニット８０から出力される駆動制御値）に応じた送り量で前後に搬送される。なお、図３では、ローラアッセンブリ３５をクランプ位置に設定した状態とアンクランプ位置に設定した状態の両方を併記している。
【００１９】
キャリッジ４０は、送りローラ３１と平行に延びて上部フレーム１０Ｕに取り付けられたガイドレール４５に、図示省略するスライドブロックを介して左右に移動自在に支持されており、次述するキャリッジ駆動機構５０により駆動される。キャリッジ４０には、ＵＶインクを吐出するプリンタヘッド６０が設けられ、ヘッド下端のノズル面がプラテン２０のメディア支持部２１と所定ギャップを隔てて対向配置される。
【００２０】
プリンタヘッド（記録ヘッド）６０は、一般的には、プリンタ装置Ｐで用いるインクの数量に応じた数のプリンタヘッドが左右に並んで配設され、例えば、シアン（Ｃ）、マゼンタ（Ｍ）、イエロー（Ｙ）、ブラック（Ｋ）の基本４色のＵＶインクについて、各色１本ずつインクカートリッジを使用するプリンタ装置の場合には、各インクカートリッジに対応した４つのプリンタヘッド６０が設けられる。なお、本実施形態におけるプリンタヘッド６０は、ピエゾ方式によってインクを吐出させる構成を例示している。
【００２１】
キャリッジ４０の左右側部に、プリンタヘッド６０から印刷媒体Ｍに吐出されたＵＶインクに紫外光を照射して硬化させるＵＶ光源が設けられている。ＵＶ光源は、キャリッジ４０の左側部に設けられた左ＵＶ光源７０Ｌと、キャリッジ４０の右側部に設けられた右ＵＶ光源７０Ｒとからなり、これら左右のＵＶ光源７０Ｌ，７０Ｒがキャリッジ４０に設けられたプリンタヘッド６０を左右外側から挟みこむように配設される。左ＵＶ光源７０Ｌおよび右ＵＶ光源７０Ｒは、波長λ＝１００〜３８０ｎｍ程度の紫外光を出射する光源、例えば、ＵＶランプやＵＶ−ＬＥＤ等を用いて構成される。左右のＵＶ光源７０Ｌ，７０Ｒの点滅作動は、キャリッジ駆動機構５０によるキャリッジ４０の移動およびプリンタヘッド６０からのインクの吐出に応じて、コントロールユニット８０により制御される。
【００２２】
キャリッジ移動機構５０は、ガイドレール４５を挟んでフレーム１０の左右側部に設けられた駆動プーリー５１および従動プーリー５２と、駆動プーリー５１を回転駆動するキャリッジ駆動モータ５３、駆動プーリー５１と従動プーリー５２との間に巻き掛けられた無端ベルト状のタイミングベルト５５などから構成される。キャリッジ４０はタイミングベルト５５に連結固定されており、キャリッジ駆動モータ５３を回転駆動することにより、ガイドレールに支持されたキャリッジ４０が、キャリッジ駆動モータ５３の回転角度（コントロールユニット８０から出力される駆動制御値）に応じた移動量でプラテン２０の上方を左右に移動される。
【００２３】
コントロールユニット８０は、プリンタ装置の各部の作動を制御する制御プログラムが書き込まれたＲＯＭ、印刷媒体Ｍに描画する印刷プログラム等を一時記憶するＲＡＭ、ＲＡＭから読みこまれた印刷プログラムや操作パネル８８から入力された操作信号等について演算処理を行い、制御プログラムに従って各部の作動を制御する演算処理部、プリンタ装置Ｐの作動状態等を表示する表示パネルおよび各種操作スイッチが設けられた操作パネル８８などを備え、メディア移動機構３０による印刷媒体Ｍの前後移動、キャリッジ移動機構５０によるキャリッジ４０の左右移動、インク供給装置（図示略）によるインクの供給、プリンタヘッド６０の各ノズルからのインク吐出などを制御する。
【００２４】
例えば、コントロールユニット８０に読み込まれた印刷プログラムに基づいて印刷媒体Ｍに描画を行う場合において、メディア移動機構３０による印刷媒体の前後移動Ｍと、キャリッジ移動機構５０によるキャリッジ４０の左右移動とを組み合わせて印刷媒体Ｍとプリンタヘッド６０とを相対移動させ、各プリンタヘッド６０から印刷媒体Ｍにインクを吐出させるとともに、キャリッジ４０の移動方向後方に位置するＵＶ光源（例えば、キャリッジ右動時には左ＵＶ光源７０Ｌ）を点灯させて、印刷プログラムに応じた情報を描画する。
【００２５】
このように、概要構成されるプリンタ装置Ｐにあって、キャリッジ２の側面には、プリンタヘッド６０からインクを吐出させるための印字信号をコントロールユニット８０からプリンタヘッド６０の駆動回路に送信する屈撓自在なケーブル（電気配線）が取り付けられている。そして、ケーブルを介して送信された印字信号によりピエゾ素子が駆動され、プリンタヘッド６０のノズルからインクが吐出される。
これらのケーブルは、キャリッジの移動に伴って無理なねじれや屈曲、引張力が生じて損傷したり、円滑な移動に支障が生じないように、ケーブル保護案内ベルトに収納され、保護案内されている。
【００２６】
図４は、本発明のケーブル保護案内機構の一構成例を模式的に示す図である。
ケーブル保護案内機構１００は、ケーブルを収納し保護案内するケーブル保護案内ベルト１１０と、ベアベース１０１と、このベアベース１０１に縦型に設けられた回転可能な主動プーリー１０２と、ベアベース１０１に前記主動プーリー１０２に離隔して縦型に設けられた回転可能な従動プーリー１０３と、主動プーリー１０２と従動プーリー１０３とを連結するプーリー連結ブラケット１０４と、前記主動プーリー１０２の回転軸に連動連結した出力軸を有したモータ（図示略）とを備え、前記主動プーリー１０２と前記従動プーリー１０３に巻き掛けるように前記ケーブル保護案内ベルト１１０が配されている。そして特に、本発明においては、前記ケーブル保護案内ベルト１１０が縦型に設けられている。
【００２７】
上述したような、ケーブルの重さによってケーブル保護案内ベルトと保護フィルムとが擦れることによる保護フィルムの粉（削れカス）の発生を防ぐため、本発明者は、先ず、ケーブル保護案内ベルト１１０を縦置きにすることに想到した。これにより、ケーブル保護案内ベルト１１０と保護フィルムとが擦れることによる粉の発生を防ぐことが可能となった。
【００２８】
しかしながら、ケーブル保護案内ベルト１１０を縦置きにすることで振動が発生し、該振動が画質に悪影響を及ぼすという新たな問題が発生した。
ここで、ケーブル保護案内ベルト１１０を縦置きにした場合の振動発生のメカニズムについて、図５を参照しながら説明する。
（１）まず図５（a）に示すように、ケーブル保護案内ベルト１１０を移動させる力（右方向）が働くとリンク体が移動しながらストッパーに当たるまで回転する。
（２）そして図５（ｂ）に示すように、さらにケーブル保護案内ベルト１１０を移動させる力（右方向）が働くと、（１）の場合と同様に、リンク体が移動しながらストッパーに当たるまで回転する。
（３）以後、図５（ｃ）に示すように、同様にリンク体が移動しながらストッパーに当たるまで回転する。
この（１）〜（３）の一連の動きにより、リンク体がストッパーに当たる度に振動が発生することとなる。このように振動が発生すると、ヘッドの印字精度に影響が生じ、高精細な印刷を行うことができなくなる。
【００２９】
そこで、このような振動の発生を防ぐために、本発明者は、単にケーブル保護案内ベルト１１０を縦置きにするだけではなく、振動を低減させる機構として、プーリー（ホイール）を使用することに想到した。
すなわち、図６に示すように、ケーブル保護案内ベルト１１０の屈曲部の内側にプーリー（ホイール）１２０を入れることで、リンク体がプーリー１２０の外周に沿って移動するようになった。この作用により、リンク体の回転をストッパーに当たる前で止めることが出来るようになり、振動を軽減することが出来るようになった。さらに、プーリー１２０を用いることでケーブル保護案内ベルト１１０がベアベース１０１上をうまく着地するようにした。
【００３０】
すなわち、本発明のケーブル保護案内機構１００は、図４に示したように、ベアベース１０１と、このベアベース１０１に縦型に設けられた回転可能な主動プーリー１０２と、ベアベース１０１に前記主動プーリー１０２に離隔して縦型に設けられた回転可能な従動プーリー１０３と、主動プーリー１０２と従動プーリー１０３とを連結するプーリー連結ブラケット１０４と、前記主動プーリー１０２の回転軸に連動連結した出力軸を有したモータ（図示略）とを備え、前記主動プーリー１０２と前記従動プーリー１０３に巻き掛けるように前記ケーブル保護案内ベルト１１０が縦型に設けられている。
【００３１】
従って、このようなケーブル保護案内機構１００において、搬送モータの駆動により主動プーリー１０２を回転させることにより、従動プーリー１０３を連動して回転させつつ、ケーブル保護案内ベルト１１０を走行させることができる。これにより、ケーブル保護案内ベルト１１０内に収納されたケーブルをキャリッジ４０と装置本体１（コントロールユニット８０）に設けられた駆動回路との間で保護案内することができる。
【００３２】
そして特に、本発明では、ケーブル保護案内ベルト１１０を縦置き構成とすることで、ケーブルの重みによるケーブル保護案内ベルト１１０と保護フィルムとの摩擦による粉（削れカス）の発生を防止し、ひいては粉による印画品質への影響をなくすことができた。さらに、プーリーを用いることで、ケーブル保護案内ベルト１１０を縦置き構成とすることで新たに生じる振動の発生および印画品質への影響をなくすことができた。これにより本発明では、印画品質に優れたインクジェットプリンタを提供することができる。
【００３３】
また、ケーブル保護案内ベルトを、従来のように横置き構成とすると、保護フィルム上を擦れながらケーブル保護案内ベルトが動くため、摩擦による抵抗が生じ、その分、余計な力を加える必要があった。
これに対し、本発明ではケーブル保護案内ベルト１１０を縦置き構成にすることで、より少ない力でヘッドを駆動することが可能になる。これにより例えば、モータの負荷低減が可能となり、耐久性の向上、モータの小型化（消費電力の低減）等が可能となる。また今後の更なるヘッドの大型化にも対応することができる。また、モータのトルクに余裕ができるため、モータに一番近い駆動側の主動プーリー１０２を大きくすることができる。これにより、キャリッジ駆動の分解能を上げることが可能となる。
上述したような効果は、大型のプリンタ装置において特に顕著に得られる。
【００３４】
以上、本発明のケーブル保護案内機構及びプリンタ装置について説明してきたが、本発明はこれに限定されるものではなく、発明の趣旨を逸脱しない範囲で適宜変更可能である。
例えば、上述した説明では、ＵＶインクを用いて印画を行うプリンタ装置を例に挙げて説明したが、本発明はこれに限定されるものではなく、他の種類のインクを用いて印画を行うプリンタ装置についても本発明は適用可能である。
【産業上の利用可能性】
【００３５】
本発明は、ケーブル保護案内機構及びプリンタ装置に広く適用可能である。
【符号の説明】
【００３６】
１００  ケーブル保護案内機構、１０１  ベアベース、１０２  主動プーリー、１０３  従動プーリー、１０４  プーリー連結ブラケット、１１０  ケーブル保護案内ベルト。
【図１】
2010221452.tif 000003
【図２】
2010221452.tif 000004
【図３】
2010221452.tif 000005
【図４】
2010221452.tif 000006
【図５】
2010221452.tif 000007
【図６】
2010221452.tif 000008
【図７】
2010221452.tif 000009
【図８】
2010221452.tif 000010